(57)【特許請求の範囲】
【請求項１】
住宅に設置されたディスプレイ画面上に、前記住宅で使用された電力の使用状況を表示する電力使用情報提供システムであって、
前記住宅には、前記ディスプレイと、該ディスプレイに接続されたホームサーバと、複数の分岐ブレーカ及び、該複数の分岐ブレーカ毎に設けられ、前記分岐ブレーカの電路を流れる電力量を測定する電力量検出手段を備えた分電盤と、が設けられ、
前記ホームサーバとインターネットで接続され、前記住宅の各階の平面図に描かれた各部屋の領域を座標で特定する部屋座標データを格納する部屋座標テーブルと、前記住宅の識別情報と前記住宅の複数の前記分岐ブレーカの識別情報と前記分岐ブレーカが接続される部屋の識別情報を対応付けたブレーカ・部屋対応情報が登録された回路テーブルと、が格納されたセンターサーバを備え、
前記ホームサーバ又は前記センターサーバは、
複数の前記分岐ブレーカの識別情報と前記分岐ブレーカの電路を所定時間内に流れた電力量の値を対応付けた所定時間毎の前記分岐ブレーカ毎の電力量測定データを前記分電盤から受信する手段と、
受信した前記所定時間毎の前記分岐ブレーカ毎の前記電力量測定データを記憶する使用電力量データ記憶手段と、
該使用電力量データ記憶手段に格納された前記所定時間毎の前記分岐ブレーカ毎の前記電力量測定データを取得する手段と、
前記回路テーブルに格納された前記住宅の前記ブレーカ・部屋対応情報を取得する手段と、
前記部屋座標テーブルに格納された前記住宅の所定の階の前記部屋座標データを取得する手段と、
取得した前記ブレーカ・部屋対応情報と前記所定時間毎の前記分岐ブレーカ毎の電力量測定データとを用いて、当日の所定時刻までの積算使用電力量の、前記当日よりも前の所定日における前記所定時刻までの積算使用電力量に対する使用量比率を、前記部屋毎に算出する手段と、
比率に対応する色のデータを格納する色見本記憶手段と、
前記使用量比率を用いて前記色見本記憶手段を参照して、該色見本記憶手段から、前記部屋毎の前記使用量比率に対応する前記色のデータを前記部屋毎に取得する手段と、
前記住宅の前記所定の階の平面図の前記部屋座標データにより特定される各前記部屋の領域の全体に、該当する前記部屋の前記使用量比率に対応する前記色のデータで特定される色、及び前記部屋の詳細情報を表示する部屋毎詳細画面を表示させるための表示ボタンを、表示する平面図表示欄と、前記色と前記比率との対応を示す色−比率参照表示欄と、を、前記ディスプレイ画面上に併せて表示する表示手段と、を備えることを特徴とする電力使用情報提供システム。
【請求項２】
前記センターサーバは、前記住宅の前記平面図の画像データを階毎に格納する平面図記憶手段を更に備え、
前記ホームサーバ又は前記センターサーバは、前記平面図記憶手段に格納された前記住宅の前記所定の階の前記平面図の画像データを取得する手段を備え、
前記表示手段は、前記住宅の前記所定の階の平面図と前記部屋座標データとの座標原点を一致させ、前記所定の階の平面図と、前記部屋座標データにより特定される各前記部屋の領域に前記各部屋の使用電力量を示す情報を表示した画像とを、重ねて表示することを特徴とする請求項１に記載の電力使用情報提供システム。
【請求項３】
前記回路テーブルに登録された前記ブレーカ・部屋対応情報は、複数の前記分岐ブレーカの識別情報に更に、該分岐ブレーカが接続される配線の用途を示す情報が対応付けられてなり、
前記ホームサーバ又は前記センターサーバは、取得した前記ブレーカ・部屋対応情報を用いて、前記分岐ブレーカ毎の電力量測定データを、所定の前記部屋の前記配線の用途毎の使用電力量を示す情報に変換する手段と、
前記所定の部屋の前記配線の用途毎の使用電力量を示す情報を前記ディスプレイ画面上に表示する手段を備えることを特徴とする請求項１に記載の電力使用情報提供システム。
【請求項４】
住宅に設置されたディスプレイ画面上に、前記住宅で使用された電力の使用状況を表示する電力使用情報提供方法であって、
前記住宅に設けられたホームサーバ又は該ホームサーバとインターネットで接続されたセンターサーバが、複数の分岐ブレーカの識別情報と前記分岐ブレーカの電路を所定時間内に流れた電力量の値を対応付けた所定時間毎の前記分岐ブレーカ毎の電力量測定データを前記住宅に設けられた分電盤から受信する手順と、
受信した前記所定時間毎の前記分岐ブレーカ毎の前記電力量測定データを記憶する使用電力量データ記憶手段から、前記所定時間毎の前記分岐ブレーカ毎の前記電力量測定データを取得する手順と、
前記センターサーバに格納され、前記住宅の識別情報と前記住宅の複数の前記分岐ブレーカの識別情報と該分岐ブレーカが接続される部屋の識別情報を対応付けたブレーカ・部屋対応情報が登録された回路テーブルに格納された前記住宅の前記ブレーカ・部屋対応情報を、前記ホームサーバ又は前記センターサーバが取得するブレーカ・部屋対応情報取得手順と、
前記センターサーバに格納され、前記住宅の各階の平面図に描かれた各部屋の領域を座標で特定する部屋座標データを格納する部屋座標テーブルに格納された前記住宅の前記所定の階の前記部屋座標データを、前記ホームサーバ又は前記センターサーバが取得する手順と、
取得した前記ブレーカ・部屋対応情報と前記所定時間毎の前記分岐ブレーカ毎の電力量測定データとを用いて、当日の所定時刻までの積算使用電力量の、前記当日よりも前の所定日における前記所定時刻までの積算使用電力量に対する使用量比率を、前記部屋毎に算出する手順と、
前記使用量比率を用いて、比率に対応する色のデータを格納する色見本記憶手段を参照して、該色見本記憶手段から、前記部屋毎の前記使用量比率に対応する前記色のデータを前記部屋毎に取得する手順と、
前記住宅の前記所定の階の平面図の前記部屋座標データにより特定される各前記部屋の領域の全体に、該当する前記部屋の前記使用量比率に対応する前記色のデータで特定される色、及び前記部屋の詳細情報を表示する部屋毎詳細画面を表示させるための表示ボタンを、表示する平面図表示欄と、前記色と前記比率との対応を示す色−比率参照表示欄と、を、前記ディスプレイ画面上に併せて表示する表示手順と、を備えることを特徴とする電力使用情報提供方法。
【請求項５】
前記表示手順よりも前に、前記センターサーバに格納された前記住宅の平面図の画像データを階毎に格納する平面図記憶手段に格納された前記住宅の前記所定の階の前記平面図の画像データを前記ホームサーバ又は前記センターサーバが取得する手順を更に備え、
前記表示手順では、前記住宅の前記所定の階の平面図と前記部屋座標データとの座標原点を一致させ、前記所定の階の平面図と、前記部屋座標データにより特定される各前記部屋の領域に前記各部屋の使用電力量を示す情報を表示した画像とを、重ねて表示することを特徴とする請求項４に記載の電力使用情報提供方法。
【請求項６】
前記ブレーカ・部屋対応情報取得手順では、前記回路テーブルに登録された前記ブレーカ・部屋対応情報として、複数の前記分岐ブレーカの識別情報に更に、該分岐ブレーカが接続される配線の用途を示す情報が対応付けられてなる情報を取得し、
前記ホームサーバ又は前記センターサーバは、前記取得する手順の後の任意の時期に、
取得した前記ブレーカ・部屋対応情報を用いて、前記分岐ブレーカ毎の電力量測定データを、所定の前記部屋の前記配線の用途毎の使用電力量を示す情報に変換する手順と、
前記所定の部屋の前記配線の用途毎の使用電力量を示す情報を前記ディスプレイ画面上に表示する手順を備えることを特徴とする請求項４に記載の電力使用情報提供方法。
【発明の詳細な説明】
【技術分野】
【０００１】
本発明は電力使用情報提供システム及び電力使用情報提供方法に係り、特に住宅のディスプレイ画面上で、住宅の部屋毎の電力使用状況を、住宅の平面図上の該当する部屋の領域に表示する電力使用情報提供システム及び電力使用情報提供方法に関する。
【背景技術】
【０００２】
従来より、住宅の居住者にエネルギー使用量の削減を促すための手段として、電気、ガス等のエネルギー使用量を計測してこの計測値を加工し、住宅に設置されたモニターに計測値を加工した情報を表示するエネルギー使用量管理装置が知られている（例えば、特許文献１参照）。
【０００３】
特許文献１のエネルギー使用量管理装置は、ホーム分電盤に組み付けられており、ガス・水道メータ、変流器等からデジタル信号、電流情報を入力するインターフェース、入手した電流情報から測定対象の電流値を演算する電流計測処理部、測定データ等を保存する記憶部、各入力データに対して所定の演算を実施すると共にエネルギー使用量管理装置の各部を制御するＣＰＵを備えた演算処理部を備えている。そして、インターフェースに入力された電流情報を基に、電流計測処理部において所定の演算が成され、測定対象電路の電流が演算される。この演算した電流情報と、エネルギー管理装置の電源部に設置された電圧センサの電圧情報を基に、演算処理部において使用電力が演算され、その都度記憶部に保存される。エネルギー使用量管理装置には、インターネット網を介してパーソナルコンピュータが接続され、宅内においてエネルギー使用量管理装置と通信して、使用電力量の折れ線グラフや、所定時間間隔の瞬時電力（使用電力）の棒グラフ等、エネルギー使用量状況を画面上に表示させ、容易に把握できるようになっている。
【先行技術文献】
【特許文献】
【０００４】
【特許文献１】特開２００８−２９８７５４号公報（段落００１１〜００１７、図１〜３）
【発明の概要】
【発明が解決しようとする課題】
【０００５】
しかし、特許文献１等従来のエネルギー使用量管理装置では、住宅で消費しているエネルギー使用量を数値及び簡易なグラフで表示しているだけであり、また、表示の対象となっている情報の種類も、住宅の主幹部分、即ち住宅の分電盤全体である主幹ブレーカを流れる電流のみが対象となっている。従って、このような限られた範囲の情報の表示のみでは、具体的に住宅内のどの部分でどのように電力消費を抑えればよいかの示唆を与えることができず、住宅の居住者を省エネ生活へ十分誘導できるとはいえない。
更に、エネルギー使用量に関するデータが、住宅内に設置されたエネルギー使用量管理装置で処理、保存されていることから、エネルギー使用量管理装置に格納された各種情報の更新や追加が容易でなく、また、保存できるデータ量にも限界がある。
【０００６】
本発明は、上記事情に鑑みてなされたものであって、その目的は、部屋毎の電力使用状況を居住者が一目で把握できるよう住宅の平面図の画像上に図示する電力使用情報提供システム及び電力使用情報提供方法を提供することにある。
また、本発明の他の目的は、分電盤の分岐ブレーカ毎の使用電力量データと分電盤の配線情報を用いて、住宅内の電力使用状況を部屋毎や配線の用途毎等、種々の観点から表示可能な電力使用情報提供システム及び電力使用情報提供方法を提供することにある。
【課題を解決するための手段】
【０００７】
前記課題は、請求項１に係る電力使用情報提供システムによれば、住宅に設置されたディスプレイ画面上に、前記住宅で使用された電力の使用状況を表示する電力使用情報提供システムであって、前記住宅には、前記ディスプレイと、該ディスプレイに接続されたホームサーバと、複数の分岐ブレーカ及び、該複数の分岐ブレーカ毎に設けられ、前記分岐ブレーカの電路を流れる電力量を測定する電力量検出手段を備えた分電盤と、が設けられ、前記ホームサーバとインターネットで接続され、前記住宅の各階の平面図に描かれた各部屋の領域を座標で特定する部屋座標データを格納する部屋座標テーブルと、前記住宅の識別情報と前記住宅の複数の前記分岐ブレーカの識別情報と前記分岐ブレーカが接続される部屋の識別情報を対応付けたブレーカ・部屋対応情報が登録された回路テーブルと、が格納されたセンターサーバを備え、前記ホームサーバ又は前記センターサーバは、複数の前記分岐ブレーカの識別情報と前記分岐ブレーカの電路を所定時間内に流れた電力量の値を対応付けた所定時間毎の前記分岐ブレーカ毎の電力量測定データを前記分電盤から受信する手段と、受信した前記所定時間毎の前記分岐ブレーカ毎の前記電力量測定データを記憶する使用電力量データ記憶手段と、該使用電力量データ記憶手段に格納された前記所定時間毎の前記分岐ブレーカ毎の前記電力量測定データを取得する手段と、前記回路テーブルに格納された前記住宅の前記ブレーカ・部屋対応情報を取得する手段と、前記部屋座標テーブルに格納された前記住宅の所定の階の前記部屋座標データを取得する手段と、取得した前記ブレーカ・部屋対応情報と前記所定時間毎の前記分岐ブレーカ毎の電力量測定データとを用いて、当日の所定時刻までの積算使用電力量の、前記当日よりも前の所定日における前記所定時刻までの積算使用電力量に対する使用量比率を、前記部屋毎に算出する手段と、比率に対応する色のデータを格納する色見本記憶手段と、前記使用量比率を用いて前記色見本記憶手段を参照して、該色見本記憶手段から、前記部屋毎の前記使用量比率に対応する前記色のデータを前記部屋毎に取得する手段と、前記住宅の前記所定の階の平面図の前記部屋座標データにより特定される各前記部屋の領域の全体に、前記使用量比率に対応する前記色のデータで特定される色、及び前記部屋の詳細情報を表示する部屋毎詳細画面を表示させるための表示ボタンを、表示する平面図表示欄と、前記色と前記比率との対応を示す色−比率参照表示欄と、を、前記ディスプレイ画面上に併せて表示する表示手段と、を備えること、により解決される。
【０００８】
また、前記課題は、請求項４に係る電力使用情報提供方法によれば、住宅に設置されたディスプレイ画面上に、前記住宅で使用された電力の使用状況を表示する電力使用情報提供方法であって、前記住宅に設けられたホームサーバ又は該ホームサーバとインターネットで接続されたセンターサーバが、複数の分岐ブレーカの識別情報と前記分岐ブレーカの電路を所定時間内に流れた電力量の値を対応付けた所定時間毎の前記分岐ブレーカ毎の電力量測定データを前記住宅に設けられた分電盤から受信する手順と、受信した前記所定時間毎の前記分岐ブレーカ毎の前記電力量測定データを記憶する使用電力量データ記憶手段から、前記所定時間毎の前記分岐ブレーカ毎の前記電力量測定データを取得する手順と、前記センターサーバに格納され、前記住宅の識別情報と前記住宅の複数の前記分岐ブレーカの識別情報と該分岐ブレーカが接続される部屋の識別情報を対応付けたブレーカ・部屋対応情報が登録された回路テーブルに格納された前記住宅の前記ブレーカ・部屋対応情報を、前記ホームサーバ又は前記センターサーバが取得するブレーカ・部屋対応情報取得手順と、前記センターサーバに格納され、前記住宅の各階の平面図に描かれた各部屋の領域を座標で特定する部屋座標データを格納する部屋座標テーブルに格納された前記住宅の前記所定の階の前記部屋座標データを、前記ホームサーバ又は前記センターサーバが取得する手順と、取得した前記ブレーカ・部屋対応情報と前記所定時間毎の前記分岐ブレーカ毎の電力量測定データとを用いて、当日の所定時刻までの積算使用電力量の、前記当日よりも前の所定日における前記所定時刻までの積算使用電力量に対する使用量比率を、前記部屋毎に算出する手順と、
前記使用量比率を用いて、比率に対応する色のデータを格納する色見本記憶手段を参照して、該色見本記憶手段から、前記部屋毎の前記使用量比率に対応する前記色のデータを前記部屋毎に取得する手順と、前記住宅の前記所定の階の平面図の前記部屋座標データにより特定される各前記部屋の領域の全体に、前記使用量比率に対応する前記色のデータで特定される色、及び前記部屋の詳細情報を表示する部屋毎詳細画面を表示させるための表示ボタンを、表示する平面図表示欄と、前記色と前記比率との対応を示す色−比率参照表示欄と、を、前記ディスプレイ画面上に併せて表示する表示手順と、を備えること、により解決される。
【０００９】
このように、部屋座標データにより特定される各部屋の領域の全体に、該当する部屋の使用量比率に対応する前記色のデータで特定される色、及び前記部屋の詳細情報を表示する部屋毎詳細画面を表示させるための表示ボタンを、表示する平面図表示欄と、前記色と前記比率との対応を示す色−比率参照表示欄と、を、住宅の所定の階の平面図をディスプレイ画面上に表示する表示手段を備えるため、住宅の居住者にとっては、実際に住んでいる自宅の平面図が画面に表示されるので、親しみやすく、表示される電力の使用状況にも興味を持ちやすい電力使用情報提供システムとすることが可能となる。
また、各部屋の領域の全体に、該当する部屋の使用量比率に対応する色のデータで特定される色を、色と前記比率との対応を示す色−比率参照表示欄と共に表示するため、住宅の平面図上に使用量比率を示す色が表示されることとなり、見た目が分かりやすく一見して電力の使用状況を把握し易い画面を提供できる。
更に、住宅に居住する家族、同居者等の構成員にとっては、部屋毎に、平面図の部屋の各領域に使用量比率に対応する色が表示されるため、画面に表示された平面図上で自分の部屋の領域を見れば、自分が使用した電力についての情報を得ることができ、個々の構成員にとっても分かりやすい画面を提供できる。また、各部屋間の電力使用状況の差異も画面に表示された平面図上で視覚により一見して把握できるので、自分の部屋と他の部屋の間の電力使用状況の比較も容易である。
センターサーバが、住宅の識別情報と該住宅の複数の分岐ブレーカの識別情報と該分岐ブレーカが接続される部屋の識別情報を対応付けたブレーカ・部屋対応情報が登録された回路テーブルを備え、ホームサーバ又はセンターサーバが、複数の分岐ブレーカの識別情報と該分岐ブレーカの電路を流れた電力量の値を対応付けた分岐ブレーカ毎の電力量測定データを分電盤から受信する手段を備えるため、宅内の使用電力を部屋毎に表示することが可能となる。
【００１０】
また、前記センターサーバは、前記住宅の前記平面図の画像データを階毎に格納する平面図記憶手段を更に備え、前記ホームサーバ又は前記センターサーバは、前記平面図記憶手段に格納された前記住宅の前記所定の階の前記平面図の画像データを取得する手段を備え、前記表示手段は、前記住宅の前記所定の階の平面図と前記部屋座標データとの座標原点を一致させ、前記所定の階の平面図と、前記部屋座標データにより特定される各前記部屋の領域に前記各部屋の使用電力量を示す情報を表示した画像とを、重ねて表示するように構成してもよい。
このように構成することにより、平面図の画像上に、部屋座標データにより再現される各部屋の画像と、各部屋の使用電力量を示す情報が表示され、平面図の画像自体も重ねて表示されるため、平面図の画像に含まれる柱や扉の図も表示されることとなり、より分かりやすく居住者にとって親しみやすい画面を提供できる。
【００１２】
また、前記回路テーブルに登録された前記ブレーカ・部屋対応情報は、複数の前記分岐ブレーカの識別情報に更に、該分岐ブレーカが接続される配線の用途を示す情報が対応付けられてなり、前記ホームサーバ又は前記センターサーバは、取得した前記ブレーカ・部屋対応情報を用いて、前記分岐ブレーカ毎の電力量測定データを、所定の前記部屋の前記配線の用途毎の使用電力量を示す情報に変換する手段と、前記所定の部屋の前記配線の用途毎の使用電力量を示す情報をディスプレイ画面上に表示する手段を備えるように構成してもよい。
このように構成しているので、住宅の居住者が部屋の配線の用途毎の電力の使用状況を把握可能な電力使用情報提供システムとすることが可能となる。
【発明の効果】
【００１３】
本発明によれば、部屋座標データにより特定される各部屋の領域の全体に、該当する部屋の使用量比率に対応する前記色のデータで特定される色、及び前記部屋の詳細情報を表示する部屋毎詳細画面を表示させるための表示ボタンを、表示する平面図表示欄と、前記色と前記比率との対応を示す色−比率参照表示欄と、を、住宅の所定の階の平面図をディスプレイ画面上に表示する表示手段を備えるため、住宅の居住者にとっては、実際に住んでいる自宅の平面図が画面に表示されるので、親しみやすく、表示される電力の使用状況にも興味を持ちやすい電力使用情報提供システムとすることが可能となる。
また、各部屋の領域の全体に、該当する部屋の使用量比率に対応する色のデータで特定される色を、色と前記比率との対応を示す色−比率参照表示欄と共に表示するため、住宅の平面図上に使用量比率を示す色が表示されることとなり、見た目が分かりやすく一見して電力の使用状況を把握し易い画面を提供できる。
更に、住宅に居住する家族、同居者等の構成員にとっては、部屋毎に、平面図の部屋の各領域に使用量比率に対応する色が表示されるため、画面に表示された平面図上で自分の部屋の領域を見れば、自分が使用した電力についての情報を得ることができ、個々の構成員にとっても分かりやすい画面を提供できる。また、各部屋間の電力使用状況の差異も画面に表示された平面図上で視覚により一見して把握できるので、自分の部屋と他の部屋の間の電力使用状況の比較も容易である。
【図面の簡単な説明】
【００１４】
【図１】本発明の実施形態に係る電力使用情報提供システムの全体構成図である。
【図２】本発明の実施形態に係るホームサーバのハード構成図である。
【図３】本発明の実施形態に係る部屋座標テーブルである。
【図４】部屋の位置を示す座標の特定方法を示す説明図である。
【図５】本発明の実施形態に係る回路テーブルである。
【図６】本発明の実施形態に係る部屋座標テーブルにデータを登録する処理を示すフローチャートである。
【図７】作業座標原点指定画面を示す説明図である。
【図８】室名設定画面を示す説明図である。
【図９】本発明の実施形態に係る回路テーブルにデータを登録する処理を示すフローチャートである。
【図１０】本発明の実施形態に係る電力使用情報提供システムの初期画面である。
【図１１】階別電力使用状況画面を表示させるためのフローチャートである。
【図１２】階別電力使用状況画面である。
【図１３】部屋毎詳細画面である。
【発明を実施するための形態】
【００１５】
以下、本発明の実施形態について、図を参照して説明する。なお、以下に説明する構成等は、本発明を限定するものではなく、本発明の趣旨に沿って各種改変することができることは勿論である。
【００１６】
本実施形態の電力使用情報提供システムは、住宅１０に設置された分電盤３０の分岐ブレーカ３２−１〜３２−ｎ毎の使用電力量のデータと、建築メーカー５０のセンターサーバ６０に格納された住宅の設計・リフォーム時又は配線計画時の平面図、回路データとを組み合わせることにより、住宅１０内の使用電力量を分岐ブレーカ毎、部屋毎、分岐ブレーカが接続される配線の使用用途毎等に表示するシステムである。
図１は、本実施形態の電力使用情報提供システムの全体構成図である。本実施形態の電力使用情報提供システムは、住宅１０と、建築メーカー５０との間で構築され、インターネット１と、住宅１０に設けられたホームサーバ２０と、ディスプレイ２２と、分電盤３０と、太陽光発電装置４０と、建築メーカー５０に設けられたセンターサーバ６０と、顧客情報サーバ７０と、端末コンピュータ８０と、を主要構成要素とする。
【００１７】
本実施形態の住宅１０は、個人が居住する一戸建て住宅として構成されるが、そのほか、集合住宅、マンション、アパート、団体構成員用の寮等のいずれであってもよい。また、本実施形態では、企業や団体等所有のビル、工場、店舗等の建物や、これらの建物のうち所定の個人又は法人が使用する一部分であってもよい。
住宅１０内には、家庭内ＬＡＮと呼ばれる各部屋を結ぶホームネットワーク２１が構築されており、このホームネットワーク２１には、図１に示すように、ホームサーバ２０と、分電盤３０と、太陽光発電装置４０と、各種電気機器２３が接続されている。なお、電気機器とは、家庭内で使用される機器の総称であり、冷蔵庫や電子レンジ等の家電製品やゲーム機、ＡＶ機器のほか、センサーや、照明等の家庭内のあらゆる電気機器を指すものである。
【００１８】
ホームサーバ２０は、ホームネットワーク２１内の情報を管理する装置であって、ホームネットワーク２１に接続された分電盤３０、太陽光発電装置４０、電気機器２３等の機器のアドレスを管理すると共に、これらの機器と通信を行い、機器の状態などの情報を取得し、機器の状態を制御する機器管理機能を有する。ホームサーバ２０の形態は、サーバコンピュータ、パーソナルコンピュータや、セットトップボックス等の専用装置、または、他の既存の機器に組み込まれるなどの形態にて実現される。
【００１９】
ホームサーバ２０のハード構成を図２に示す。
ホームサーバ２０は、データの演算・制御処理装置としてのＣＰＵ２０１、記憶装置であるＲＡＭ２０２、ＲＯＭ２０３、ＨＤＤ２０４及び記憶媒体装置２０５を備えている。
ＣＰＵ２０１は、ＲＯＭ２０３又はＨＤＤ２０４に記憶されているプログラムにしたがって各種の処理を実行するようになされている。
ＲＡＭ２０２には、ＣＰＵ２０１が各種の処理を実行する上において必要なデータなどが適宜記憶される。
【００２０】
ＨＤＤ２０４には、分電盤３０に設置された電流センサ３３−１〜３３−ｎで測定される各分岐ブレーカ３２−１〜３２−ｎの電路の使用電力量のデータ、太陽光発電装置４０に設置された発電電力量検知部４４、電力会社へ売却する売電電力の電力量を測定する売電電力量計４５と電力会社から購入する買電電力の電力量を測定する買電電力量計４６で測定される発電電力量、売電電力量、買電電力量のデータ、不図示の電子温度計が示す温度の値を取得するデータ収集プログラムが格納されている。
また、このデータ収集プログラムを用いて取得されたデータであって、その住宅１０の所定時間、本実施形態では３０分毎の各分岐ブレーカ３２−１〜３２−ｎの電路の使用電力量のデータ、その住宅１０の所定時間、本実施形態では３０分毎の発電電力量、売電電力量、買電電力量のデータをそれぞれ格納する使用電力量データ記憶部、発電・売買電電力量データ記憶部が格納されている。
ＨＤＤ２０４には、定期的に分岐ブレーカ３２−１〜３２−ｎの使用電力量と太陽光発電機４１による発電電力量のデータを取得してセンターサーバ６０に送信するプログラムが格納されている。
【００２１】
使用電力量データ記憶部には、３０分を単位とする各時間帯の各分岐ブレーカ３２−１〜３２−ｎの電路の使用電力量のデータが格納されており、項目としては、各分岐ブレーカ３２−１〜３２−ｎの識別情報であるアドレス、年月日、３０分を単位とする時間帯、その時間帯の各分岐ブレーカ３２−１〜３２−ｎの使用電力量を含む。
発電・売買電電力量データ記憶部には、３０分を単位とする各時間帯の太陽光発電装置４０による発電電力量及び電力会社との間の売買電力量のデータが格納されており、項目としては、年月日、３０分を単位とする時間帯、その時間帯の発電電力量、その時間帯の売電電力量、その時間帯の買電電力量を含む。
【００２２】
入力装置であるキーボード２０７とマウス２０８は、ＣＰＵ２０１に所定の指令を入力するとき適宜操作される。
さらに表示装置２０９、プリンタ２１０には、所定の書式で表示される情報，画像等が出力表示される。
【００２３】
記憶媒体装置２０５は、外付けハードディスク，光磁気ディスク，ＣＤ−Ｒ，ＤＶＤ，メモリスティックなどにより構成され、インターネット１を介して送信されてきたデータを適宜記憶し、またこれを読み出すことができるようになされている。
【００２４】
通信装置２０６は、インターネット１又はイントラネット２１に対してデータを送信し、またインターネット１又はイントラネット２１を介して供給されたデータを受信するようになされている。通信装置２０６は、イントラネット２１を介してディスプレイ２２に表示する画面のデータを送信し、ディスプレイ２２で入力されたデータを受信する。
ディスプレイ２２は、住宅１０内のキッチン、リビングルーム、洗面所等の各所に設置され、ホームサーバ２０との間の送受信機能及びタッチパネルを備えたディスプレイである。なお、ホームサーバ２０の表示装置２０９をディスプレイ２２として用いてもよい。
【００２５】
分電盤３０には、主幹ブレーカ３１と、複数の分岐ブレーカ３２−１〜３２−ｎと、計測された電流値に基づき使用電力量を各分岐ブレーカ３２−１〜３２−ｎについて演算するＣＰＵ３６と、ＣＰＵ３６で演算された使用電力量を記憶する記憶手段３７が設置されている。
【００２６】
主幹ブレーカ３１は、公知の住宅用主幹ブレーカからなり、外部から住宅１０に供給される商用電源及び太陽光発電装置４０で発電された電源を太陽光発電装置４０のインバータ部４２を介して一次側に受ける。
分岐ブレーカ３２−１〜３２−ｎは、公知の住宅用分岐ブレーカからなり、主幹ブレーカ３１の二次側から分岐した電路に介挿されており、住宅１０内の電気機器２３に動作電源を供給する。
分岐ブレーカ３２−１〜３２−ｎはそれぞれ、各分岐ブレーカ３２−１〜３２−ｎの電路の電流を計測する電流センサ３３−１〜３３−ｎと、各分岐ブレーカ３２−１〜３２−ｎにそれぞれ設けられた不図示のアドレス識別物からアドレス情報を読み取るアドレス検出部３４−１〜３４−ｎと、電流センサ３３−１〜３３−ｎの電流値をアドレス検出部３４−１〜３４−ｎで読み取ったアドレス情報と共に記憶手段３７に送信する処理部３５−１〜３５−ｎが設けられている。
【００２７】
電流センサ３３−１〜３３−ｎは、公知の電流センサであって、それぞれが各分岐ブレーカ３２−１〜３２−ｎの電路の電流を計測する。
アドレス検出部３４−１〜３４−ｎは、特開２００８−２２８３７９号公報等に記載の公知の構成からなり、分岐ブレーカ３２−１〜３２−ｎの外壁面に設けられた不図示のアドレス識別物の複数の突起の配列及び高さを検知することにより、アドレスを検出可能に構成されている。なお、ここでいうアドレスは、分電盤３０内において各分岐ブレーカ３２−１〜３２−ｎを一意に識別可能なアドレスをいう。
不図示のアドレス識別物は、複数の突起を備え、これらの突起はそれぞれ、２種類の高さのうちいずれかの高さとして形成されている。各分岐ブレーカ３２−１〜３２−ｎのアドレスは、高い突起と低い突起の配列により特定されている。
アドレス検出部３４−１〜３４−ｎは、アドレス識別物の各突起に対応する位置に、複数の押しボタンを備えており、アドレス識別物をアドレス検出部３４−１〜３４−ｎに対向させて固定することにより、高い突起に対向する押しボタンが押されて、アドレス識別物の突起の配列を検知可能に構成されている。
【００２８】
分岐ブレーカ３２−１〜３２−ｎの回路設計を示す回路テーブルを図５に示す。
分岐ブレーカ３２−１〜３２−ｎの回路設計は、住宅１０の新築時又はリフォーム時等に、施主の希望を聞きながら設計者が行うが、本実施形態の電力使用情報提供システムにおける使用電力量の回路毎、部屋毎、配線の使用用途毎等の表示がし易くなるよう、専用回路でないものは、部屋毎、種類毎を一つの回路にするような回路設計を行ってもよい。
図５において、左端の分岐ブレーカアドレス欄は、アドレス検出部３４−１〜３４ｎによって読み取られた各分岐ブレーカ３２−１〜３２−ｎのアドレスを示し、階数欄、部屋欄は、各分岐ブレーカ３２−１〜３２−ｎに接続される回路の階数及び室名、回路欄は、各分岐ブレーカ３２−１〜３２−ｎに接続される回路の用途を示している。
【００２９】
記憶手段３７には、電流センサ３３−１〜３３−ｎの電流計測値と、不図示の電圧センサで計測される電圧計測値から、各分岐ブレーカ３２−１〜３２−ｎの電路の使用電力量を演算するプログラムが格納されている。また、電流センサ３３−１〜３３−ｎの電流計測値を記憶する電流量記憶部、使用電力量を演算するプログラムを用いて演算された所定時間毎の各分岐ブレーカ３２−１〜３２−ｎの電路の使用電力量を一時的に記憶する使用電力量記憶部を備える。
【００３０】
ＣＰＵ３６は、電流センサ３３−１〜３３−ｎについて計測された電流値と、不図示の電圧センサで計測される電圧計測値を用いて、記憶手段３７に格納されたプログラムにより、各分岐ブレーカ３２−１〜３２−ｎの電路の使用電力量を演算し、この演算結果を記憶手段３７の使用電力量記憶部に格納する。
【００３１】
太陽光発電装置４０は、太陽光エネルギを電気エネルギに変換する太陽光発電機４１と、太陽光発電機４１で発生した直流電流を交流電流に変換するインバータ部４２と、太陽光発電機４１及び各電力会社から供給される商用電力を各分岐ブレーカ３２−１〜３２−ｎに供給する開閉部４３と、太陽光発電機４１で発電された電力量を検知する発電電力量検知部４４と、電力会社へ売却する売電電力の電力量を測定する売電電力量計４５と、電力会社から購入する買電電力の電力量を測定する買電電力量計４６と、太陽光発電機４１で発電された電力のうち使用されなかった電力を蓄電する蓄電池４７と、ＣＰＵ４８と、発電電力量検知部４４、売電電力量計４５、買電電力量計４６で計測された発電電力量、売電電力量、買電電力量のデータを一時的に記憶する記憶手段４９を備える。
記憶手段４９は、ＣＰＵ４８の制御信号により、所定時間毎、本実施形態では３０分毎に、発電電力量検知部４４、売電電力量計４５、買電電力量計４６で計測された所定時間毎の発電電力量、売電電力量、買電電力量を記憶する。
【００３２】
建築メーカー５０は、住宅１０の設計・建築を行ったメーカーである。なお、建築メーカー５０の代わりに、本実施形態の電力使用情報提供システムの運用を行う業者等であって、住宅１０の設計・建築を行った者から住宅１０の設計図面データと回路データとを譲り受けた者でもよい。また、住宅１０の設計を行った設計事務所や個人であってもよい。
建築メーカー５０には、図１に示すように、センターサーバ６０、顧客情報サーバ７０、端末コンピュータ８０が設置され、相互にイントラネット５１で接続されている。
センターサーバ６０は、サーバコンピュータであって、建築メーカー５０の本実施形態の電力使用情報提供システムの運用管理を行う部署により、運営管理が行われている。
センターサーバ６０のハード構成は、ホームサーバ２０と同様であるため、説明を省略する。
【００３３】
センターサーバ６０のＨＤＤには、各住宅１０の各階の各部屋の位置を座標で表現したデータを格納する部屋座標テーブル６１、各住宅１０の各分岐ブレーカ３２−１〜３２−ｎと住宅１０内の建物内配線との対応を示す回路テーブル６２、平面図の画像データを格納する平面図記憶部６３、建物立面図の画像データを格納する立面図記憶部６４が格納されている。
【００３４】
部屋座標テーブル６１は、各住宅１０の各階の部屋の位置を座標で表現したデータを格納する。２階建ての一戸建てからなる住宅１０の部屋座標テーブル６１を、図３に示す。
部屋座標テーブル６１には、該当する住宅１０の識別番号が付され、部屋毎のデータが含まれている。データの項目には、部屋が位置する階層（地階、１階、２階等の別）、部屋の位置、部屋の番号、部屋の室名が含まれる。部屋の位置は、図３に示すように、Ｘ、Ｙ軸の座標で表されている。
【００３５】
部屋の位置を示す座標の特定方法について、図４に基づき説明する。
図４は、住宅１０の１階平面図である。
図４では、１階平面図に、後述する図６のフローチャートのステップＳ８で設定される作業座標原点及びＸ、Ｙ軸が描かれ、各部屋の位置を、Ｘ、Ｙ座標で特定するように構成されている。例えば、図４の１階和室は、作業座標原点に最も近い角が座標（３、２１）、その座標よりもＸ軸の正の方向に移動した位置の角が座標（２８、２１）、その座標よりもＹ軸の正の方向に移動した位置の角が座標（２８、５４）、その座標よりもＹ軸の負の方向に移動した位置の角が座標（３、５４）に位置しており、図３の部屋座標テーブル６１の位置の項目に、（３、２１）（２８、２１）（２８、５４）（３、５４）が入力されている。
同様に、他の部屋についても、位置の項目に、図４から特定される座標の値が入力される。
【００３６】
回路テーブル６２は、各分岐ブレーカ３２−１〜３２−ｎと住宅１０内の建物内配線との対応を示すテーブルであって、図５のように、項目として、各分岐ブレーカ３２−１〜３２−ｎのアドレス、そのアドレスに対応する各分岐ブレーカ３２−１〜３２−ｎに接続される回路の階数及び室名、建物内配線、そのアドレスに対応する各分岐ブレーカ３２−１〜３２−ｎに接続される回路を含む。
また、センターサーバ６０の不図示のＨＤＤには、各住宅１０のホームサーバ２０から受信したデータであって、各住宅１０の所定時間、本実施形態では３０分毎の各分岐ブレーカ３２−１〜３２−ｎの電路の使用電力量のデータ、その住宅１０の所定時間、本実施形態では３０分毎の発電電力量、売電電力量、買電電力量のデータをそれぞれ格納する使用電力量データ記憶部、発電・売買電電力量データ記憶部が格納されている。
更に、センターサーバ６０の不図示のＨＤＤには、各住宅１０のホームサーバから受信した分岐ブレーカ３２−１〜３２−ｎの使用電力量と太陽光発電機４１による発電電力量のデータを、センターサーバ６０の部屋座標テーブル６１、回路テーブル６２に格納されたデータと組み合わせ、住宅１０内の使用電力量を表示するＷｅｂ画面を作成するプログラムが格納されている。
【００３７】
顧客情報サーバ７０は、建築メーカー５０の顧客及び顧客の建物に関する情報が登録されたサーバコンピュータである。顧客情報サーバ７０のハード構成は、ホームサーバ２０と同様であるため、説明を省略する。
顧客情報サーバ７０の不図示のＨＤＤには、住宅１０の居住者のＩＤ、パスワードを含む建築メーカー５０の顧客に関する情報が登録された顧客情報データベース７０ａと、顧客の建物に関する情報が登録された建物情報データベース７０ｂと、設計者に各住宅１０の部屋座標テーブル７１、回路テーブル７２のデータを入力させるための部屋座標登録プログラム、回路登録プログラムが格納されている。
建物情報データベース７０ｂには、各住宅１０の識別番号、施主である顧客番号、顧客名、住所、建築依頼から設計、建築、引渡しを経て現在までの顧客との間のやり取りの履歴、リフォームや修理等の履歴、図３の部屋座標テーブル６１、図５の回路テーブル６２と同様の部屋座標テーブル７１、回路テーブル７２、平面図の画像データを格納する平面図記憶部７３、建物立面図の画像データを格納する立面図記憶部７４が登録されている。なお、顧客情報サーバ７０を備えず、顧客情報サーバ７０の機能をセンターサーバ６０で行ってもよい。
【００３８】
端末コンピュータ８０は、建築メーカー５０の各担当者が使用するコンピュータである。端末コンピュータ８０のハード構成は、ホームサーバ２０と同様であるため、説明を省略する。
【００３９】
次に、本実施形態の電力使用情報提供システムで行われる業務処理及び各プログラムにより実行される処理について説明する。
施主より住宅１０建築の依頼を受けると、建築メーカー５０の設計者は、施主の意向を聞きながら、ＣＡＤを用いて住宅１０の設計を行う。設計者は、住宅１０の建物図面をＣＡＤで作成した後、端末コンピュータ８０から顧客情報サーバ７０にアクセスして、不図示のアイコンをクリックし、部屋座標登録プログラムを立ち上げる。
端末コンピュータ８０から不図示のアイコンがクリックされると図６のフローチャートの処理がスタートする。図６の処理は、顧客情報サーバ７０の不図示のＣＰＵにより制御される。なお、顧客情報サーバ７０を備えない場合は、センターサーバ６０で制御してもよい。
【００４０】
ステップＳ１で、不図示のＣＡＤ平面図入力画面を表示する。この画面は、設計者が既にＣＡＤを用いて作成した住宅１０の平面図を登録するための画面であって、住宅１０をイントラネット５１で一意に識別可能な住宅識別番号を入力する欄、住宅１０の全階数を入力する欄、平面図の該当階を入力する欄、ＣＡＤで作成された住宅１０の平面図のファイルを表示する欄、次の処理ステップに進むためのＯＫボタンを備える。
次いで、ステップＳ２で、不図示のＣＡＤ平面図入力画面で、ＯＫボタンがクリックされたか判定する。
ＯＫボタンがクリックされない場合（ステップＳ２：ＮＯ）、再びステップＳ２で、不図示のＣＡＤ平面図入力画面で、ＯＫボタンがクリックされたか判定する。即ち、ＯＫボタンがクリックされるまで、ステップＳ２を繰り返す。
【００４１】
ＯＫボタンがクリックされた場合（ステップＳ２：ＹＥＳ）、ステップＳ３で、不図示のＣＡＤ平面図入力画面で、住宅１０の住宅識別番号、地上・地下の階数、平面図を登録しようとする階の階数を含む必要事項が入力され、平面図が表示されたか判定する。
必要事項及び平面図のうちいずれかが入力又は表示されない場合（ステップＳ３：ＮＯ）、ステップＳ４で、「必要事項及び平面図を入力して下さい」とのエラーメッセージを表示し、ステップＳ２で、不図示のＣＡＤ平面図入力画面で、ＯＫボタンがクリックされたか判定する。即ち、不図示のＣＡＤ平面図入力画面で、必要事項及び平面図のすべてが入力又は表示されるまで、ステップＳ２〜Ｓ４を繰り返す。
【００４２】
必要事項及び平面図のすべてが入力又は表示された場合（ステップＳ３：ＹＥＳ）、ステップＳ５で、図７の作業座標原点指定画面９０を表示する。作業座標原点指定画面９０は、住宅１０の識別番号入力欄９１、地上階数入力欄９２、地下階数入力欄９３、平面図を登録しようとする階の階数入力欄９４、登録しようとする階の平面図表示欄９５、原点設定欄９６を含む。これらの欄のうち、原点設定欄９６以外の欄は、すべてステップＳ３までで入力が完了している。
原点設定欄９６は、平面図表示欄９５に表示された平面図の尺度を設定する尺度設定欄９６ａ、平面図表示欄９５に表示された平面図の作業座標原点を設定する原点入力欄９６ｂ、原点設定欄９６に入力した設定を保存するＯＫボタン９６ｃを含む。
【００４３】
次いで、ステップＳ６で、ＯＫボタン９６ｃがクリックされたか判断する。
ＯＫボタン９６ｃがクリックされない場合(ステップＳ６：ＮＯ)、ステップＳ６で、ＯＫボタン９６ｃがクリックされたか判断する。つまり、ＯＫボタン９６ｃがクリックされるまで、ステップＳ６を繰り返す。
ＯＫボタン９６ｃがクリックされた場合(ステップＳ６：ＹＥＳ)、ステップＳ７で、平面図表示欄９５上の一点がクリックされると共に原点入力欄９６ｂに（０，０）の数値が入力され、尺度設定欄９６ａに入力されることにより、原点が指定されたか判定する。
【００４４】
平面図表示欄９５上の一点がクリックされていない、原点入力欄９６ｂに（０，０）の数値が入力されていない、又は尺度設定欄９６ａに入力されておらず、原点が指定されていない場合(ステップＳ７：ＮＯ)、ステップＳ６で、ＯＫボタン９６ｃがクリックされたか判断する。つまり、原点が指定されてＯＫボタン９６ｃがクリックされるまで、ステップＳ６及びＳ７を繰り返す。
平面図表示欄９５上の一点がクリックされ、かつ原点入力欄９６ｂに（０，０）の数値が入力され、尺度設定欄９６ａに入力されることにより、原点が指定された場合(ステップＳ７：ＹＥＳ)、ステップＳ８で、クリックされた点を原点とし、尺度設定欄９６ａに入力された尺度とし、平面図表示欄９５の横方向をＸ軸、縦方向をＹ軸とすることにより、平面図表示欄９５の原点及びＸ、Ｙ軸の設定を行う。
【００４５】
次いで、ステップＳ９で、平面図表示欄９５に表示された平面図を読込み、各部屋の位置を座標により特定し、特定した各部屋に通し番号を付して、部屋座標テーブル７１に登録する。
このステップでは、顧客情報サーバ７０の建物情報データベース７０ｂの部屋座標テーブル７１に、処理中の住宅１０の識別番号と、処理中の階数と、各部屋の位置の座標値と、これらの座標値で特定される各部屋に付した通し番号である室番号とを対応付けて、部屋毎のデータとして追加する。
【００４６】
次いで、ステップＳ１０で、図８の室名設定画面９７を表示する。図８の室名設定画面９７は、図７の作業座標原点指定画面９０と同様の住宅１０の識別番号入力欄９１、地上階数入力欄９２、地下階数入力欄９３、平面図を登録しようとする階の階数入力欄９４のほか、登録しようとする階の平面図の各部屋の領域に部屋の通し番号が付された室番号表示欄９８と、各部屋の室番号に対応する室名を入力するための室名設定画面９９と、を備える。
室名設定画面９９は、各部屋の通し番号を表示する室番号表示欄９９ａ、室番号に対応する室名を入力する室名入力欄９９ｂと、入力完了時にクリックするＯＫボタン９９ｃを備える。
【００４７】
次いで、ステップＳ１１で、ＯＫボタン９９ｃがクリックされたか判定する。
ＯＫボタン９９ｃがクリックされていない場合(ステップＳ１１：ＮＯ)、ステップＳ１１で再度ＯＫボタン９９ｃがクリックされたか判定する。つまり、ＯＫボタン９９ｃがクリックされるまで、ステップＳ１１を繰り返す。
ＯＫボタン９９ｃがクリックされた場合（ステップＳ１１：ＹＥＳ）、ステップＳ１２で、室名設定画面９９に入力漏れがないか判定する。
室名設定画面９９に入力漏れがある場合（ステップＳ１２：ＮＯ）、ステップＳ１３で、「入力漏れがあります。すべての室名を入力して下さい。」とのエラー表示をし、ステップＳ１１で、ＯＫボタン９９ｃがクリックされたか判定する。つまり、室名設定画面９９のすべての入力欄に入力されるまで、ステップＳ１１〜Ｓ１３を繰り返す。
室名設定画面９９に入力漏れがない場合（ステップＳ１２：ＹＥＳ）、ステップＳ１４で、室名入力欄９９ｂに入力されたすべての室名を、対応する室番号に紐付けして、顧客情報サーバ７０の建物情報データベース７０ｂの部屋座標テーブル７１に登録する。また、図７の平面図表示欄９５に表示された該当する階の平面図を、住宅識別番号及び階数をファイル名として、顧客情報サーバ７０の平面図記憶部７３に登録する。このステップにより、処理中の住宅１０の処理中の階については、図３に示すすべてのデータの登録が完了する。
【００４８】
次いで、ステップＳ１５で、処理中の住宅１０に、部屋座標テーブル７１のデータ登録が済んでいない未登録階があるか判定する。
このステップでは、顧客情報サーバ７０の建物情報データベース７０ｂの部屋座標テーブル７１を、処理中の住宅１０の識別番号をキーとして検索して、すべての登録済みの処理中の住宅１０のデータを取得する。これらのデータの階数欄と、図８の地上階数入力欄９２、地下階数入力欄９３に入力された全階数を比較し、図８の地上階数入力欄９２、地下階数入力欄９３に入力された全階数について、データが登録されているかを判定する。
【００４９】
処理中の住宅１０に、部屋座標テーブル７１のデータ登録が済んでいない未登録階がある場合（ステップＳ１５：ＹＥＳ）、ステップＳ１に戻り、不図示のＣＡＤ平面図入力画面を表示する。つまり、処理中の住宅１０のすべての階について部屋座標テーブル７１の登録が完了するまで、ステップＳ１〜Ｓ１５を繰り返す。
処理中の住宅１０に、部屋座標テーブル７１のデータ登録が済んでいない未登録階がない場合（ステップＳ１５：ＮＯ）、処理中の住宅１０のすべての階について部屋座標テーブル７１の登録が完了したとして、図６のフローチャートの処理を終了する。
以上で、建築メーカー５０の設計者による部屋座標テーブル７１の登録処理が完了する。
【００５０】
その後、設計者は、施主の意向を聞きながら、住宅１０内の電気回路設計を行う。設計者は、端末コンピュータ８０から顧客情報サーバ７０にアクセスして、不図示のアイコンをクリックし、回路登録プログラムを立ち上げる。
端末コンピュータ８０から不図示のアイコンがクリックされると図９のフローチャートの処理がスタートする。図９の処理は、顧客情報サーバ７０の不図示のＣＰＵにより制御される。なお、顧客情報サーバ７０を備えない場合は、センターサーバ６０で制御してもよい。
ステップＳ２１で、不図示の回路入力画面を表示する。この画面は、設計者が住宅１０の電気回路を登録するための画面であって、住宅１０をイントラネット５１で一意に識別可能な住宅識別番号を入力する欄、分岐ブレーカ３２−１〜３２−ｎのアドレスと、これらの分岐ブレーカ３２−１〜３２−ｎにそれぞれ接続される電気回路との対応を登録するためのテーブル登録欄、入力内容を確定するＯＫボタン、入力作業を中止するキャンセルボタンを備えている。
テーブル登録欄は、分岐ブレーカ３２−１〜３２−ｎのアドレスを入力する分岐ブレーカアドレス欄、その分岐ブレーカが接続される階数を入力する階数欄、その分岐ブレーカが接続される室名を入力する室名欄、その分岐ブレーカが接続される回路（用途）欄を備えた表形式になっている。
【００５１】
次いでステップＳ２２で、不図示の回路入力画面でＯＫボタンがクリックされたか判定する。
ＯＫボタンがクリックされない場合（ステップＳ２２：ＮＯ）、ステップＳ２３で、キャンセルボタンがクリックされたか判定する。
キャンセルボタンがクリックされない場合（ステップＳ２３：ＮＯ）、ステップＳ２２で、不図示の回路入力画面でＯＫボタンがクリックされたか判定する。即ち、ＯＫボタンもキャンセルボタンもクリックされない場合、設計者が入力中であるとして、ステップＳ２２とＳ２３を繰り返す。
キャンセルボタンがクリックされた場合（ステップＳ２３：ＹＥＳ）、設計者は入力の中止を望んでいるとして、図９の処理を終了する。
【００５２】
ステップＳ２２で、ＯＫボタンがクリックされた場合（ステップＳ２２：ＹＥＳ）、ステップＳ２４で、不図示の回路入力画面に入力漏れがないか判定する。
入力漏れがあった場合（ステップＳ２４：ＮＯ）、ステップＳ２２で、不図示の回路入力画面でＯＫボタンがクリックされたか判定する。即ち、入力漏れがなくなるまで、ステップＳ２２〜Ｓ２４を繰り返す。
入力漏れがない場合（ステップＳ２４：ＹＥＳ）、ステップＳ２５で、入力された住宅１０の識別番号をキーとして顧客情報サーバ７０の建物情報データベース７０ｂの部屋座標テーブル７１を検索し、部屋座標テーブル７１から処理中の住宅１０のデータを取得する。
次いで、ステップＳ２６で、不図示の回路入力画面の階数欄、室名欄に入力された階数と室名との組み合わせが、すべて、部屋座標テーブル７１から取得した処理中の住宅１０のデータに含まれているかを確認することにより、室名が一致するかを判定する。
【００５３】
室名が一致しない場合（ステップＳ２６：ＮＯ）、ステップＳ２７で、「入力された室名が、識別番号ＸＸの住宅にありません。室名を確認して再入力してください。」というエラー画面を表示し、ステップＳ２２で不図示の回路入力画面でＯＫボタンがクリックされたか判定する。
室名が一致した場合（ステップＳ２６：ＹＥＳ）、ステップＳ２８で、入力された分岐ブレーカ３２−１〜３２ｎのアドレス、その分岐ブレーカが接続される階数、室名、回路（用途）と、この住宅１０の識別番号を、分岐ブレーカ３２−１〜３２−ｎ毎のデータとして、顧客情報サーバ７０の建物情報データベース７０ｂの回路テーブル７２に登録し、図９の処理を終了する。
【００５４】
以上のように、住宅１０の各部屋を座標で表したデータを格納する部屋座標テーブル７１、住宅１０の分岐ブレーカ３２−１〜３２−ｎと電気回路との対応を表すデータを格納する回路テーブル７２、平面図の画像データを格納する平面図記憶部７３、建物立面図の画像データを格納する立面図記憶部７４は、顧客情報サーバ７０に登録されるが、これらのテーブルは、センターサーバ６０にも、部屋座標テーブル６１、回路テーブル６２、平面図記憶部６３、立面図記憶部６４として格納されている。センターサーバ６０は、定期的、例えば毎日午前０時に顧客情報サーバ７０の部屋座標テーブル７１、回路テーブル７２、平面図記憶部７３、立面図記憶部７４をコピーし、部屋座標テーブル６１、回路テーブル６２、平面図記憶部６３、立面図記憶部６４に上書きしてアップデートする処理を行う。
【００５５】
住宅１０の建築が完了した後、居住者となる施主への引き渡しの際に、建築メーカー５０は居住者に本実施形態の電力使用情報提供システムの画面を表示するためのＩＤ、パスワードを渡し、住宅１０のディスプレイ２２よりホームサーバ２０を介して本実施形態の電力使用情報提供システムを利用可能にする。このＩＤ、パスワードは、顧客情報サーバ７０の顧客情報データベース７０ａに登録されている。
居住者は、住宅１０に入居すると、分電盤３０の主幹ブレーカ３１、分岐ブレーカ３２−１〜３２−ｎ、太陽光発電装置４０等をオンにすると共に、ホームサーバ２０の電源を入れ、インターネット１に接続をし、ホームサーバ２０を常時インターネット１に接続し、電源を入れた状態にする。
【００５６】
これにより、ホームサーバ２０は、所定時間毎、本実施形態では３０分毎に分電盤３０の記憶手段３７の使用電力量記憶部にアクセスし、その住宅１０の所定時間毎の各分岐ブレーカ３２−１〜３２−ｎの電路の使用電力量のデータを取得して、ＨＤＤ２０４の使用電力量データ記憶部に登録すると共に、このデータをセンターサーバ６０に送信する。
また、ホームサーバ２０は、所定時間毎、本実施形態では３０分毎に太陽光発電装置４０の記憶手段４９にアクセスし、その住宅１０の所定時間毎の発電電力量、売電電力量、買電電力量のデータを取得して、ＨＤＤ２０４の発電・売買電電力量データ記憶部に登録すると共に、このデータをセンターサーバ６０に送信する。
【００５７】
住宅１０の居住者が、本実施形態の電力使用情報提供システムを利用する動作について説明する。本実施形態では、以下の電力使用情報提供システムの処理は、センターサーバ６０で制御される。これにより、ホームサーバ２０は、電力使用情報提供システムの処理を行う必要がなくなり、個人の住宅１０に設置されることの多いホームサーバ２０の処理の負荷が軽くなって、メンテナンス等が容易になる。その結果、建築メーカー５０側からのホームサーバ２０に関する住宅１０の居住者へのメンテナンスや支援サービスの必要性を減らすことが可能となる。なお、電力使用情報提供システムの処理を、ホームサーバ２０で制御するように構成してもよい。
居住者が、ディスプレイ２２より、不図示の電力使用情報提供システムのアイコンをクリックすると、センターサーバ６０は、ディスプレイ２２画面上に、不図示のＩＤ及びパスワード入力画面を表示する。居住者により、正しいＩＤ及びパスワードが入力されると、ディスプレイ２２は、住宅１０の識別番号と、居住者により入力されたＩＤ及びパスワードをセンターサーバ６０に送信する。センターサーバ６０は、ＩＤ及びパスワードを受信すると、ディスプレイ２２に図１０の初期画面１００を表示するための処理を行う。
【００５８】
この処理ではまず、センターサーバ６０は、ホームサーバ２０のアドレスをキーとして、顧客情報データベース７０ａを検索し、該当する顧客のデータがあった場合には、該当する住宅１０の識別番号をキーとして立面図記憶部６４を検索して、この住宅１０の立面図を取得する。
【００５９】
次いで、その日の午前０時からその時点までにおける、全使用電力量に対する発電電力量の比率を示す発電電力量率、発電電力量のうちから消費した電力量の全使用電力量に対する比率を示す消費発電電力量率、全使用電力量に対する売電電力量の比率を示す売電電力量率、全使用電力量に対する蓄電電力量の比率を示す蓄電電力量率を計算する処理を行う。
この処理ではまず、センターサーバ６０の不図示のＨＤＤの使用電力量データ記憶部、発電・売買電電力量データ記憶部を、その日の年月日で検索し、その日のその時点までの使用電力量、発電電力量、売電電力量、買電電力量の３０分毎のデータを抽出し、それぞれ積算することによって、その時点までの積算使用電力量、積算発電電力量、積算売電電力量、積算買電電力量を得る。
なお、ここで、積算使用電力量、積算発電電力量、積算売電電力量、積算買電電力量と、発電電力量のうちから消費した積算消費発電電力量と、発電電力量のうちから蓄電した積算蓄電電力量、蓄電池から消費した消費蓄電電力量の関係は、
積算発電電力量＝積算売電電力量＋積算蓄電電力量＋積算消費電力量
積算使用電力量＝積算買電電力量＋積算消費電力量＋消費蓄電電力量
である。
【００６０】
次いで、次の各式より、各電力量率を求める。
発電電力量率＝積算発電電力量／積算使用電力量
発電電力量のうちから消費した消費発電電力量率＝（積算使用電力量−積算買電電力量−消費蓄電電力量）／積算使用電力量
売電電力量率＝積算売電電力量／積算使用電力量
蓄電電力量率＝｛積算発電電力量−（積算使用電力量−積算買電電力量−消費蓄電電力量）−積算売電電力量｝／積算使用電力量
また、太陽光発電装置４０による電力発電自給率を、消費発電電力量率×１００（％）として算出する。
【００６１】
センターサーバ６０は、ホームサーバ２０に、その時点の蓄電池４７の電力残容量、外気及びリビング温度のデータ送信要求を送信する。ホームサーバ２０は、この送信要求を受信すると、蓄電池４７の不図示の残容量検出手段、屋外に設置された不図示の電子温度計、リビングルームに設置された不図示の電子温度計にアクセスして、その時点の蓄電池４７の電力残容量のデータ、外気温度のデータ、リビング温度のデータを取得し、センターサーバ６０に送信する。また、センターサーバ６０の不図示のＨＤＤに格納されたメッセージを適宜取得する。
その後、センターサーバ６０は、ディスプレイ２２画面上に取得した各データを含む図１０の初期画面１００を表示する。
【００６２】
図１０の初期画面１００は、住宅１０の建物立面図と共に概略情報を表示する宅外表示欄１０１を備え、画面左側に宅内の部屋別又は種類別電力使用状況等を表示させるための宅内ボタン１０２、不図示の電力使用状況をグラフ表示するグラフ画面を表示させるためのグラフボタン１０３、不図示のお知らせ画面を表示させるためのお知らせボタン１０４、不図示の設定画面を表示させるための設定ボタン１０５を備えている。
宅外表示欄１０１には、立面図記憶部６４から取得した住宅１０の建物立面図を表示する住宅外観表示欄１０１ａ、使用電力量中太陽光発電装置４０で発電された電力量が占める比率を示す電力発電自給率、外気温度、リビングルームのリビング温度を表示する温度及び自給率表示欄１０１ｂ、太陽光発電装置４０による発電電力量の全使用電力量に対する比率を示す発電電力量率、発電電力量のうちから消費した電力量の全使用電力量に対する比率を示す消費発電電力量率、全使用電力量に対する蓄電電力量の比率を示す蓄電電力量率、蓄電池４７の残容量を表示する発電収支表示欄１０１ｃ、商用電源への売電電力量の全使用電力量に対する比率を示す売電量表示欄１０１ｄを備えている。
【００６３】
図１０の初期画面１００で、宅内ボタン１０２がクリックされると、図１１のフローチャートの処理がスタートする。図１１の処理は、センターサーバ６０のＣＰＵにより制御される。
まずステップＳ３１で、住宅１０の識別番号及び当日の日付、当日の日付−１の日付をキーとして、不図示のＨＤＤの使用電力量データ記憶部を検索し、当日及び前日の各分岐ブレーカ３２−１〜３２−ｎの電路の３０分毎の使用電力量のデータを取得する。
次いで、ステップＳ３２で、住宅１０の識別番号をキーとして、不図示のＨＤＤに格納された回路テーブル６２を検索し、該当する住宅１０の各分岐ブレーカ３２−１〜３２−ｎと住宅１０内の建物内配線との対応を示すデータを取得する。
【００６４】
ステップＳ３３で、当日及び前日の部屋毎の使用電力量を算出する。
このステップでは、３０分毎の使用電力量のデータのうち、当日の日付が付されたデータについて、全時間帯のデータを積算し、当日のその時刻までの各分岐ブレーカ３２−１〜３２−ｎの積算使用電力量データを得る。
また、３０分毎の使用電力量のデータのうち、前日の日付が付されたデータについて、当日のその時刻と同じ時刻以前の全時間帯のデータを積算し、前日の同じ時刻までの各分岐ブレーカ３２−１〜３２−ｎの積算使用電力量データを得る。
次いで、回路テーブル６２から取得した住宅１０の各分岐ブレーカ３２−１〜３２−ｎと住宅１０内の建物内配線との対応を示すデータのうち、各分岐ブレーカ３２−１〜３２−ｎのアドレスの項目と、そのアドレスに対応する各分岐ブレーカ３２−１〜３２−ｎに接続される回路の階数の項目、室名の項目を用いて、各分岐ブレーカ３２−１〜３２−ｎのアドレスを、そのアドレスの分岐ブレーカ３２−１〜３２−ｎに対応する階数及び室名に置換し、階数及び室名が同じ積算使用電力量を足し合わせて、部屋毎の積算使用電力量データを得る。
また、同様の処理を前日の日付が付されたデータについても行い、部屋毎の積算使用電力量データを得る。
【００６５】
次に、ステップＳ３４で、各部屋についての（当日の積算使用電力量／前日の積算使用電力量）×１００（％）の値を算出する。
ステップＳ３５で、当日の積算使用電力量の各部屋の比率を算出する。このステップでは、全部屋の積算使用電力量の合計値を算出し、各部屋について、その部屋の積算使用電力量／全部屋の積算使用電力量を算出する。
ステップＳ３６で、住宅１０の識別番号及び表示しようとしている階の階数をキーとして、不図示のＨＤＤに格納された部屋座標テーブル６１及び平面図記憶部６３を検索し、該当する住宅１０の階の各部屋の位置を示す座標データと平面図とを取得する。
【００６６】
次いで、ステップＳ３７で、ステップＳ３１〜Ｓ３６で取得・算出したデータに基づいてディスプレイ２２に図１２の階別電力使用状況画面１１０を表示する。
このステップでは、各部屋についての（当日の積算使用電力量／前日の積算使用電力量）×１００（％）の値について、不図示のＨＤＤに格納された不図示の色見本テーブルを参照して、各部屋の値に対応する色を取得する。
該当する住宅１０の階の平面図のデータと各部屋の位置を示す座標データとの作業座標原点を合わせ、平面図のデータと重ねて、各部屋の座標データで特定される領域に、各部屋を表示することにより、１階の平面図１１２を表示する。このとき、各部屋は、部屋座標で特定される領域を不図示の色見本テーブルで参照した色として表示し、更に、色と（当日の積算使用電力量／前日の積算使用電力量）×１００（％）の値との対応を示す参照バー１１２ａも表示する。
また１階の平面図１１２の横には、ステップＳ３５で算出した当日の積算使用電力量の各部屋の比率を公知の方法で円グラフ化し、円グラフ１１３を表示する。以上で、図１１のフローチャートの処理を終了する。
【００６７】
図１１のフローチャートの処理により表示された図１２の階別電力使用状況画面１１０は、所定の階、図１２の例では１階の電力使用状況表示欄１１１を備え、画面左側に、図１０の宅外表示欄１０１を表示させるための宅外ボタン１１５、２階の電力使用状況表示欄を表示させるための２階ボタン１１６、３階の電力使用状況表示欄を表示させるための３階ボタン１１７、前の画面に戻るための戻るボタン１１８を備えている。なお、２階ボタン１１６、３階ボタン１１７は、住宅１０が何階建てかによって変わるものであり、住宅１０が備える階数に応じたボタンが表示される。
【００６８】
図１２の１階の電力使用状況表示欄１１１には、１階の平面図１１２と、住宅１０内のすべての部屋についての部屋別の電力の使用割合の円グラフ１１３が表示されている。
１階の平面図１１２は、各部屋が、前日と比較した電力使用量の比率によって色分けして表示されている。１階の平面図の上部には、各部屋の色と比率との対応を示す色彩と比率との参照バー１１２ａが表示されており、各部屋の色をこの参照バー１１２ａで参照することにより、前日よりもどの程度増減したかが一目で分かるようになっている。
また、１階の平面図１１２に含まれる各部屋の領域は、公知の方法により、図１３の部屋毎詳細画面１２０を表示させるためのボタンとして構成されており、いずれかの部屋の領域をクリックすると、その部屋の部屋毎詳細画面１２０が表示されるように構成されている。
【００６９】
ディスプレイ２２で図１２の１階の平面図１１２に含まれる各部屋の領域のうちいずれかがクリックされると、センターサーバ６０は、ステップＳ３３で算出した当日の部屋毎の使用電力量から、クリックされた部屋の値を抽出し、この値を「本日積算値」とする。
ステップＳ３３で算出された当日の部屋毎の積算使用電力量のデータを用いて、公知の方法により、クリックされた部屋の使用電力量が、すべての部屋のうち何番目に多いかを求め、これを「部屋別使用量ランキング」とする。
また、ステップＳ３３の処理中に得た当日のその時刻までの各分岐ブレーカ３２−１〜３２−ｎの積算使用電力量データから、クリックされた部屋に接続される分岐ブレーカのデータを抽出し、各分岐ブレーカについて、その分岐ブレーカの積算使用電力量／その部屋に接続される全分岐ブレーカの積算使用電力量の合計を算出する。
更に、ステップＳ３２で回路テーブル６２から取得した住宅１０の各分岐ブレーカ３２−１〜３２−ｎと住宅１０内の建物内配線との対応を示すデータを用いて、ステップＳ３１で取得した当日の各分岐ブレーカ３２−１〜３２−ｎの電路の３０分毎の使用電力量のデータから、クリックされた部屋の室名が付されたデータを抽出し、これらのデータを足し合わせてクリックされた部屋に接続される分岐ブレーカの３０分毎の合計使用電力量とする。次いで、奇数番目と偶数番目の単位時間の値を足して、クリックされた部屋の当日の１時間毎の使用電力量を算出する。
【００７０】
次いで、算出したこれらの数値を用いて、ディスプレイ２２に図１３の部屋毎詳細画面１２０を表示する。
この処理では、クリックされた部屋の名称１２１、算出した本日積算値１２２、部屋別使用量ランキング１２３を表示する。
ステップＳ３６で取得した住宅１０の該当階の平面図のデータと、クリックされた部屋の位置を示す座標データの作業座標原点を合わせ、平面図のデータと重ねて、クリックされた部屋の座標データで特定される領域を着色することにより、クリックされた部屋を強調表示した該当階の平面図１２４を表示する。
【００７１】
また、各分岐ブレーカ３２−１〜３２−ｎについての、積算使用電力量／その部屋に接続される全分岐ブレーカの積算使用電力量の合計を、公知の方法で円グラフ１２５として表示する。
当日のクリックされた部屋の１時間毎の使用電力量を公知の方法で棒グラフ１２６として表示する。棒グラフ１２６の上には、昨日の１時間毎の使用電力量を棒グラフで表示させるための昨日表示ボタン、当日の１時間毎の使用電力量を棒グラフで表示させるための当日表示ボタン、月間の日毎の毎の使用電力量を棒グラフで表示させるための月間表示ボタン、年間の月毎の使用電力量を棒グラフで表示させるための年間表示ボタンが更に表示されている。
【００７２】
また、画面左側には、図１０の宅外表示欄１０１を表示させるための宅外ボタン１２７、２階の電力使用状況表示欄を表示させるための２階ボタン１２８、３階の電力使用状況表示欄を表示させるための３階ボタン１２９、前の画面に戻るための戻るボタン１３０を備えている。
【符号の説明】
【００７３】
１  インターネット
１０  住宅
２０  ホームサーバ
２１  ホームネットワーク
２３  電気機器
３０  分電盤
３１  主幹ブレーカ
３２−１〜３２−ｎ  分岐ブレーカ
３３−１〜３３−ｎ  電流センサ
３４−１〜３４−ｎ  アドレス検出部
３５−１〜３５−ｎ  処理部
３６、４８、２０１  ＣＰＵ
３７、４９  記憶手段
４０  太陽光発電装置
４１  太陽光発電機
４２  インバータ部
４３  開閉部
４４  発電電力量検知部
４５  売電電力量計
４６  買電電力量計
４７  蓄電池
５０  建築メーカー
５１  イントラネット
６０  センターサーバ
６１、７１  部屋座標テーブル
６２、７２  回路テーブル
６３、７３  平面図記憶部
６４、７４  立面図記憶部
７０  顧客情報サーバ
７０ａ  顧客情報データベース
７０ｂ  建物情報データベース
８０  端末コンピュータ
９０  作業座標原点指定画面
９１  識別番号入力欄
９２  地上階数入力欄
９３  地下階数入力欄
９４  階数入力欄
９５  平面図表示欄
９６  原点設定欄
９６ａ  尺度設定欄
９６ｂ  原点入力欄
９６ｃ  ＯＫボタン
９７  室名設定画面
９８  室番号表示欄
９９  室名設定画面
９９ａ  室番号表示欄
９９ｂ  室名入力欄
９９ｃ  ＯＫボタン
１００  初期画面
１０１  宅外表示欄
１０１ａ  住宅外観表示欄
１０１ｂ  自給率表示欄
１０１ｃ  発電収支表示欄
１０１ｄ  売電量表示欄
１０２  宅内ボタン
１０３  グラフボタン
１０４  お知らせボタン
１０５  設定ボタン
１１０  階別電力使用状況画面
１１１  電力使用状況表示欄
１１２  １階の平面図
１１２ａ  参照バー
１１３  円グラフ
１１５、１２７  宅外ボタン
１１６、１２８  ２階ボタン
１１７、１２９  ３階ボタン
１１８、１３０  戻るボタン
１２０  部屋毎詳細画面
１２１  部屋の名称
１２２  本日積算値
１２３  部屋別使用量ランキング
１２４  平面図
１２５  円グラフ
１２６  棒グラフ
１２６ａ  昨日表示ボタン
１２６ｂ  当日表示ボタン
１２６ｃ  月間表示ボタン
１２６ｄ  年間表示ボタン
２０２  ＲＡＭ
２０３  ＲＯＭ
２０４  ＨＤＤ
２０５  記憶媒体装置
２０６  通信装置
２０７  キーボード
２０８  マウス
２０９  表示装置
２１０  プリンタ
【図１】
0005579459.tif 000002
【図２】
0005579459.tif 000003
【図３】
0005579459.tif 000004
【図４】
0005579459.tif 000005
【図５】
0005579459.tif 000006
【図６】
0005579459.tif 000007
【図７】
0005579459.tif 000008
【図８】
0005579459.tif 000009
【図９】
0005579459.tif 000010
【図１０】
0005579459.tif 000011
【図１１】
0005579459.tif 000012
【図１２】
0005579459.tif 000013
【図１３】
0005579459.tif 000014